(57)【特許請求の範囲】
【請求項１】
ストロボを作動状態と非作動状態との間で切り替えるストロボ発光切替手段と、絞りを大絞りと小絞りとの間で切り替える絞り切替手段と、シャッタスピードを高速と低速との間で切り替えるシャッタスピード切替手段と、ストロボ発光量を通常発光と減光発光との間で切り替えるストロボ光量切替手段と、撮影モードを選択するために操作される撮影モード選択手段とを備えたレンズ付きフイルムユニットにおいて、
撮影モード選択手段の操作に連動して、ストロボ発光切替手段と絞り切替手段とシャッタスピード切替手段とストロボ光量切替手段との切替動作を行い、ストロボ発光切替手段を非作動状態に設定し、絞り切替手段を小絞りに設定し、シャッタスピード切替手段を高速に設定し、ストロボ光量切替手段を通常発光に設定する第１撮影モードと、
ストロボ発光切替手段を作動状態に設定し、絞り切替手段を小絞りに設定し、シャッタスピード切替手段を高速に設定し、ストロボ光量切替手段を通常発光に設定する第２撮影モードと、
ストロボ発光切替手段を作動状態に設定し、絞り切替手段を大絞りに設定し、シャッタスピード切替手段を低速に設定し、ストロボ光量切替手段を減光発光に設定する第３撮影モードの少なくとも３種類の撮影モードを設けたことを特徴とするレンズ付きフイルムユニット。
【請求項２】
前記絞り切替手段は、撮影モード選択手段の操作に応じて、撮影光路内に挿入される小絞り位置と、撮影光路から退避される大絞り位置との間で移動される絞り切替板と、この絞り切替板に設けられ、小絞り位置にある際に撮影光路内に配置される小絞り開口とからなることを特徴とする請求項１記載のレンズ付きフイルムユニット。
【請求項３】
前記絞り切替手段は、大絞りのＦナンバーをＦ１，小絞りのＦナンバーをＦ２としたときに、
Ｆ４≦Ｆ１≦Ｆ６．７
Ｆ１３≦Ｆ２
を満たし、ＩＳＯ８００以上の感度のフイルムを装填したことを特徴とする請求項１または２記載のレンズ付きフイルムユニット。
【請求項４】
前記シャッタスピード切替手段は、撮影モード選択手段の操作に応じて、シャッタ羽根の移動軌跡上に挿入されて移動動作を制限する高速シャッタ位置と、シャッタ羽根の移動軌跡上から退避する低速シャッタ位置との間で移動されるシャッタスピード切替部材からなることを特徴とする請求項１ないし３いずれか記載のレンズ付きフイルムユニット。
【請求項５】
前記シャッタスピード切替手段は、低速シャッタのシャッタスピードをＳ１，高速シャッタのシャッタスピードをＳ２としたときに、
１／３０ｓｅｃ≧Ｓ１≧１／６０ｓｅｃ
１／１００ｓｅｃ≧Ｓ２
を満たし、ＩＳＯ８００以上の感度のフイルムを装填したことを特徴とする請求項１ないし４いずれか記載のレンズ付きフイルムユニット。
【請求項６】
前記ストロボ光量切替手段は、撮影モード選択手段の操作に応じて、ストロボ発光部の前方に挿入される減光位置と、ストロボ発光部の前方から退避される通常発光位置との間で移動される減光板からなることを特徴とする請求項１ないし５いずれか記載のレンズ付きフイルムユニット。
【請求項７】
前記減光板は、少なくともストロボ発光部の中央部分を覆うことを特徴とする請求項６記載のレンズ付きフイルムユニット。
【請求項８】
前記ストロボ光量切替手段は、撮影モード選択手段の操作に応じてストロボ装置を電気的に制御し、光量を切り替えることを特徴とする請求項１ないし５いずれか記載のレンズ付きフイルムユニット。
【請求項９】
ＩＳＯ８００以上の感度のフイルムが予め装填され、ストロボを作動状態と非作動状態との間で切り替えるストロボ発光切替手段と、絞りを大絞りと小絞りとの間で切り替える絞り切替手段と、シャッタスピードを高速と低速との間で切り替えるシャッタスピード切替手段と、ストロボ発光量を通常発光と減光発光との間で切り替えるストロボ光量切替手段と、撮影モードを選択するために操作される撮影モード選択手段とを備えたレンズ付きフイルムユニットにおいて、
撮影モード選択手段の操作に連動して、ストロボ発光切替手段と絞り切替手段とシャッタスピード切替手段とストロボ光量切替手段との切替動作を行い、ストロボ発光切替手段を非作動状態に設定し、絞り切替手段をＦ１３以下の小絞りに設定し、シャッタスピード切替手段を１／１００以上の高速シャッタに設定し、ストロボ光量切替手段を通常発光に設定する第１撮影モードと、
ストロボ発光切替手段を作動状態に設定し、絞り切替手段をＦ１３以下の小絞りに設定し、シャッタスピード切替手段を１／１００以上の高速シャッタに設定し、ストロボ光量切替手段を通常発光に設定する第２撮影モードと、
ストロボ発光切替手段をストロボ作動状態に設定し、絞り切替手段をＦ６．７以上の大絞りに設定し、シャッタスピード切替手段を１／６０以下の低速シャッタに設定し、ストロボ光量切替手段を減光発光に設定する第３撮影モードとを設けたことを特徴とするレンズ付きフイルムユニット。
【請求項１０】
前記撮影モード選択手段は、１つもしくは２つの外部に露呈される操作部材を有していることを特徴とする請求項１ないし９いずれか記載のレンズ付きフイルムユニット。
【請求項１１】
前記撮影モード選択手段が第３撮影モードに設定された時に識別可能な位置に指標を露呈させ、撮影モード選択手段が第１撮影モード及び第２撮影モードに設定された時に指標を隠すモード表示手段を設けたことを特徴とする請求項１ないし１０いずれか記載のレンズ付きフイルムユニット。
【発明の詳細な説明】
【０００１】
【発明の属する技術分野】
本発明は、レンズ付きフイルムユニットに関し、更に詳しくは、複数の撮影モードを有するレンズ付きフイルムユニットに関するものである。
【０００２】
【従来の技術】
製造時に写真フイルムが装填されたレンズ付きフイルムユニットが各種販売されている。初期のレンズ付きフイルムユニットは、絞りやシャッタ速度が固定であった。そのため、光量の少ない暗い場所で撮影を行うと、主要な被写体はストロボ光によって適正に露出されるが、周辺光の取り込み量が少ないため背景は撮影されなかった。また、ユーザーによるレンズ付きフイルムユニットへの要望として、夜間にライトアップされた建物やイルミネーション等の夜景撮影への対応があった。
【０００３】
上記要望に応えるために、ストロボ撮影時に絞りが開くレンズ付きフイルムユニット（特開２０００−３０５２２１号，特開２００１−２１５５９９号）や、簡易ＡＥ機能を搭載したレンズ付きフイルムユニット（特開平９−５８１７号）、ストロボ撮影時に絞りを開きかつシャッタスピードを遅くするレンズ付きフイルムユニット（特開平１０−３３３２８７号）等が発明されている。
【０００４】
上記各発明のレンズ付きフイルムユニットは、日中ストロボ撮影時に露光オーバーが発生する、夜間，室内撮影時でも近距離の被写体において露光オーバーが発生する、モード選択が分かりにくい、コストが高い等の種々の問題を有している。これらの問題を解決するために、手動の切り替え操作によって絞りとストロボ光量とを切り替えられるようにし、大絞り状態でストロボの減光発光を行う夜間撮影モードを備えたレンズ付きフイルムユニット（特開２０００−１６２７３８号）が発明されている。
【０００５】
【発明が解決しようとする課題】
しかしながら、特開２０００−１６２７３８号公報記載のレンズ付きフイルムユニットのように、絞りの切り替えだけでは、背景を撮影できる明るさの範囲が狭かった。また、設定されている撮影モードの状態が、撮影モードを切り替える操作部材の位置でしか判別できなかったため、例えば、夜間撮影モードで日中撮影を行う等の不適切な撮影モード選択が行われることがあった。
【０００６】
本発明は、上記問題点を解決するためのもので、従来よりも暗い背景の撮影を行うことができ、撮影モードの判別が容易なレンズ付きフイルムユニットを提供することを目的とする。
【０００７】
【課題を解決するための手段】
上記問題点を解決するために、本発明のレンズ付きフイルムユニットは、ストロボ非作動，小絞り，高速シャッタ，ストロボ通常発光に設定する第１撮影モードと、ストロボ作動，小絞り，高速シャッタ，ストロボ通常発光に設定する第２撮影モードと、ストロボ作動，大絞り，低速シャッタ，ストロボ減光発光に設定する第３撮影モードとを設けたものである。
【０００８】
絞り切替手段には、大絞り位置と小絞り位置との間で移動される絞り切替板を使用する。また、大絞りのＦナンバーをＦ1 ，小絞りのＦナンバーをＦ2 としたときに、Ｆ４≦Ｆ1 ≦Ｆ６．７及びＦ１３≦Ｆ2 とし、ＩＳＯ８００以上の感度のフイルムを使用することによって、被写界深度が浅くならないようにし、かつ背景の撮影能力を向上させるようにしたものである。
【０００９】
シャッタスピード切替手段には、シャッタ羽根の移動を制限するシャッタスピード切替部材を使用する。また、低速シャッタのシャッタスピードをＳ1 ，高速シャッタのシャッタスピードをＳ2 としたときに、１／３０ｓｅｃ≧Ｓ1 ≧１／６０ｓｅｃ及び１／１００ｓｅｃ≧Ｓ2 とし、ＩＳＯ８００以上の感度のフイルムを使用することによって、手ブレが発生しないようにし、かつ背景の撮影能力を向上させるようにしたものである。
【００１０】
ストロボ光量の切り替えは、ストロボ発光部の前方に減光板を挿脱させてもよいし、ストロボ基板を電気的に制御してもよい。
【００１１】
また、ストロボ非作動，Ｆ１３以下の小絞り，１／１００以上の高速シャッタに設定する第１撮影モードと、ストロボ作動，Ｆ１３以下の小絞り，１／１００以上の高速シャッタ，ストロボ通常発光に設定する第２撮影モードと、ストロボ作動，Ｆ６．７以上の大絞り，１／６０以下の低速シャッタ，ストロボ減光発光に設定する第３撮影モードを使用することもできる。
【００１２】
更に、撮影モード選択手段が第３撮影モードに設定された時に指標を露呈させ、撮影モード選択手段が第１撮影モード及び第２撮影モードに設定された時に指標を隠すようにしたモード表示手段を設けたものである。
【００１３】
また、モード表示手段としては、ファインダの前方に指標を挿脱させたり、対物レンズと接眼レンズとの間に指標を挿脱させたり、レンズ付きフイルムユニットの外面に指標を突出させてもよい。
【００１４】
指標としては、レンズ付きフイルムユニット内に設けられた光源から光を導いて放射するライトガイドを用いることもできる。
【００１５】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１６】
ユニット本体３の前面には、撮影レンズ５，ファインダ６，ストロボ発光部７，撮影モード選択部８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１７】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、図２に示すように、第１操作位置から上方に向けてスライドされた第２操作位置と、図３に示すように、第２操作位置から図中時計方向に回動される第３操作位置との間で移動自在とされている。
【００１８】
レンズ付きフイルムユニット２は、操作部材１５が第１操作位置にある際に、ストロボＯＦＦ及び小絞り及び高速シャッタの日中撮影モード（第１撮影モード）となる。また、操作部材１５が第２操作位置にある際には、ストロボＯＮ及び小絞り及び高速シャッタの日中シンクロ撮影モード（第２撮影モード）となる。この第２撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００１９】
操作部材１５が第３操作位置にある際には、ストロボＯＮ及び大絞り及び低速シャッタの夜間シンクロ撮影モード（第３撮影モード）となる。この第３撮影モードでは、ストロボ発光部７の前方に減光部材１９が配置され、ストロボ光量の減光が図られる。また、ファインダ６の前方には、円板状の指標板２０が配置される。この指標板２０は、ファインダ６内で視認されることにより、レンズ付きフイルムユニット２が第３撮影モードにあることを撮影者に知らせる。
【００２０】
図４は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。
【００２１】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタレリーズに連動してオンし、ストロボ発光を行わせるシンクロスイッチ３０と、撮影モード選択部８の操作部材１５の移動によってオン／オフされる充電スイッチを構成する金属接片３１と、電池３２をストロボ回路に接続する電池接片３３等が取り付けられている。
【００２２】
本体基部２３の前面中央には、遮光筒３５が設けられている。この遮光筒３５の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００２３】
図５は、遮光筒３５の周囲に組み込まれたシャッタレリーズ機構，絞り切替機構，シャッタ速度切替機構，撮影光学系の構成を示す分解斜視図である。遮光筒３５の前面には、露光開口３７が形成されている。遮光筒３５の側方には、シャッタ羽根３８を揺動自在に支持するピン３９と、バネ４０の一端が掛けられるピン４１とが設けられている。
【００２４】
シャッタレリーズ機構を構成するシャッタ羽根３８は、ピン３９に挿通される穴４３ａが形成されたベース部４３と、露光開口３７の前方に配置されて該露光開口３７の開閉を行う開閉部４４と、ベース部４３と開閉部４４とを接続する連結部４５とからなる。ベース部４３には、バネ４０の他端が掛けられるピン４３ｂと、シャッタ駆動レバー４７によって蹴飛ばされる突出部４３ｃと、ストロボユニット２４のシンクロスイッチ３０を動作させるシンクロ突起４３ｄとが設けられている。シャッタ羽根３８は、バネ４０に付勢されて露光開口３７を塞ぐ閉じ位置に保持されている。
【００２５】
シャッタ駆動レバー４７は、シャッタレリーズ機構を構成する部品の一つであり、シャッタチャージ機構によって図中時計方向のチャージ位置に回動される。そして、シャッタレリーズ時に、図中反時計方向のレリーズ位置に向けて回動し、その際にシャッタ羽根３８の突出部４３ｃを蹴飛ばす。シャッタ駆動レバー４７に蹴飛ばされたシャッタ羽根３８は、バネ４０の付勢に抗して図中時計方向の開き位置に向けて回動する。そして、レンズホルダ５６の内面に設けられたストッパーピン５６ａ（図９参照）に当接すると、バネ４０の付勢によって閉じ位置に復帰する。
【００２６】
また、シャッタ羽根３８は、開き位置への回動時にシンクロ突起４３ｄでシンクロスイッチ３０の上部金属接片３０ａを押圧し、下部金属接片３０ｂに接触させる。一対の金属接片３０ａ，３０ｂが接触してシンクロスイッチ３０がＯＮすると、ストロボユニット２４の発光部７においてストロボ発光が行われる。
【００２７】
レンズホルダ５６の上部には、ストップレバー４９を回動自在に支持するピン５０が形成されている。シャッタスピード切替部材であるストップレバー４９は、ピン５０に支持されるボス５１と、このボス５１の側面から突出された２本のアーム５２，５３と、一方のアーム５２の先端に形成されたパッド５４とからなる。このストップレバー４９は、図６に示すように、パッド５４をシンクロスイッチ３０の下部金属接片３０ｂの自由端側の下方に挿入する高速シャッタ位置と、図７に示すように、パッド５４を下部金属接片３０ｂの下方から退避させる低速シャッタ位置との間で回動される。
【００２８】
図８に示すように、ストップレバーのパッド５４が高速シャッタ位置にある際にシャッタレリーズが行われると、シャッタ羽根３８のシンクロ突起４３ｄに押圧されたシンクロスイッチ３０の上部金属接片３０ａが下部金属接片３０ｂに接触し、ストロボ発光が行われる。下部金属接片３０ｂはパッド５４に当接するため、シャッタ羽根３８は、開き位置への移動の途中で回動が阻止される。これにより、短時間でシャッタ羽根３８が閉じ位置に復帰し、シャッタ速度が速くなる。ストップレバー４９が高速シャッタ位置にあるときのシャッタ速度は、例えば１／１１０秒となる。
【００２９】
上記とは逆に、図９に示すように、ストップレバー４９のパッド５４が低速シャッタ位置にある際には、シャッタ羽根３８の開き位置への回動が大きくなる。これは、金属接片３０ｂの弾性変形が自由になるためであり、その結果、シャッタ羽根３８が閉じ位置に復帰するまでの時間が長くなって、シャッタ速度が遅くなる。ストップレバー５４が低速シャッタ位置にあるときのシャッタ速度は、例えば１／４５秒となる。
【００３０】
遮光筒３５の前方には、略板状のレンズホルダ５６が取り付けられる。レンズホルダ５６の前面中央には、筒形状の鏡筒５７が形成されている。鏡筒５７内には、撮影開口５８が形成されており、鏡筒５７の側面には切欠５９が形成されている。鏡筒５７内には、撮影レンズ５を構成する第１レンズ６０と第２レンズ６１とが収納される。これら第１レンズ６０と第２レンズ６１との間には、絞り切替機構を構成する大絞り板６２と、絞り切替板６３と、スペーサー６４とが収められる。大絞り板６２は、円形の薄板からなり、中央に大径の絞り開口６２ａが形成されている。
【００３１】
レンズホルダ５６の前面には、鏡筒５７に収められた撮影レンズ５等の部品と、鏡筒５７の外周に取り付けられた切替リング６８とが外れないように押さえるレンズ押さえ板６５が取り付けられる。
【００３２】
絞り切替板６３は、く字形状の薄板からなり、一端に大絞り開口６２ａを塞ぐ大きさの小絞り部６３ａが設けられている。この小絞り部６３ａには、小径の絞り開口６３ｂが形成されている。絞り切替板６３の他端には、穴６３ｃと長穴６３ｄとが形成されている。穴６３ｃは、レンズホルダ５６の鏡筒５７の近傍に形成されたピン６６に挿通され、絞り切替板６３を揺動自在とする。絞り切替板６３は、切欠５９を利用して小絞り部６３ａを鏡筒５７内に出入りさせ、大絞り開口６２ａを露呈させる大絞り位置と、大絞り開口６２ａを隠す小絞り位置との間で回動される。
【００３３】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、ストップレバー４９の他方のアーム５３が間に挟み込まれる一対の挟持ピン６８ｃと、背面側に突出され、撮影モード切替機構によって押圧される従動ピン６８ｄとが設けられている。
【００３４】
バネ７０の他端は、レンズホルダ５６の前面下部に形成されたピン７１に掛けられ、切替リング６８を図中時計方向に付勢する。なお、バネ７０によって付勢された切替リング６８は、絞り切替板６３との連係によって所定の位置に保持される。
【００３５】
操作部材１５には、略小判形状の切替板７４が一体に形成されており、この切替板７４には水平方向に突出された押圧レバー７５が一体に形成されている。操作部材１５が第２操作位置から第３操作位置に回動すると、切替板７４の押圧レバー７５が切替リング６８の従動ピン６８ｄを下方から押圧する。これにより、切替リング６８は図中反時計方向に回動される。
【００３６】
図１０及び図１１は、第１撮影モード及び第２撮影モードにある際の切替リング６８の状態を示している。操作部材１５が第１操作位置及び第２操作位置にある際には、操作部材１５の押圧レバー７５は切替リング６８の従動ピン６８ｄに接触しない。そのため、切替リング６８は初期位置に保持されている。
【００３７】
切替リング６８が初期位置にある際には、絞り切替板６３は小絞り部６３ａが鏡筒５７内に挿入される小絞り位置に保持される。これにより、小絞り部６３ａが大絞り開口６２ａを塞いで小絞り状態となる。この小絞り状態でのＦ値は、例えばＦ１４となる。また、一対の挟持ピン６８ｃは、ストップレバー４９を高速シャッタ位置に保持している。
【００３８】
図１２に示すように、操作部材１５が第２操作位置から第３操作位置へと回動されると、押圧レバー７５が従動ピン６８ｄを下方から押圧して切替リング６８を図中反時計方向に回動させる。この切替リング６８の回動により、リンクピン６８ｂに押圧された絞り切替板６３が図中時計方向に回動し、小絞り部６３ａが光軸上から退避する大絞り位置に移動する。この大絞り状態でのＦ値は、例えばＦ５．６となる。また、一対の挟持ピン６８ｃはストップレバー４９を回動させ、パッド５４を低速シャッタ位置にセットする。
【００３９】
図１３は、撮影モード切替機構２５の構成を示す分解斜視図である。撮影モード切替機構２５は、操作部材１５と、軸受板７７と、スライド板７８と、受け板７９と、減光レバー８０と、減光板８７と、表示レバー８１とから構成されている。
【００４０】
図１４に示すように、操作部材１５の前面には、操作時の指かかりを得るために略円錐形状の隆起部８３が形成されている。この隆起部８３には、階段状の段差が形成されて指かかり性が向上されている。また、隆起部８３の先端には、検査機の治具が挿入される穴８３ａが形成されている。レンズ付きフイルムユニット２の完成後に行われる撮影モード切替機構の検査では、隆起部８３の穴８３ａに検査機の治具８５が挿入され、この治具８５が上下方向でのスライドと回動とを行うことにより、撮影モード切替機構２５の動作が確かめられる。
【００４１】
操作部材１５の切替板７４の背面には、円環形状の回動ガイド７４ａと、スライド板７８をスライドさせる２本のスライドピン７４ｂ，７４ｃと、操作部材１５の回動時にクリック動作を行うクリックピン７４ｄと、操作部材１５の移動方向をガイドするガイドピン７４ｅと、減光レバー８０を動作させる減光用突起７４ｆとが設けられている。２本のスライドピン７４ｂ，７４ｃは、回動ガイド７４ａの中に配置されている。
【００４２】
軸受板７７には、操作部材１５の回動ガイド７４ａが挿入される軸受開口７７ａと、クリックピン７４ｄとガイドピン７４ｅと減光用突起７４ｆとがそれぞれ挿入される開口７７ｂ〜７７ｄとが形成されている。クリックピン７４ｄが挿入される開口７７ｃ内には、操作部材１５が第３操作位置にセットされた時にクリックピン７４ｄに摺接してクリック感を付与する突起７７ｅが形成されている。
【００４３】
軸受板７７は、操作部材１５の第１操作位置と第２操作位置との間の移動に連動して上下方向でスライドされる。また、操作部材１５が第２操作位置と第３操作位置との間で回動する際には、軸受板７７は移動せず、軸受開口７７ａによって操作部材１５を軸支する。
【００４４】
軸受板７７の一側面には、操作部材１５の第１操作位置と第２操作位置との間の移動時に、前カバー２６の前面内壁に形成された係止片８８に係合してクリック感を付与する突起７７ｆが形成されている。これらの突起７７ｅ，７７ｆの近傍にはスリットが形成されており、クリックピン７４ｄや係止片８８が突起７７ｅ，７７ｆを乗り越える際に、弾性変形できるようになっている。
【００４５】
また、軸受板７７の背面には、スライド板７８をスライドさせるスライドピン７７ｇと、ストロボユニット２４の基板２９に設けられた充電スイッチの金属接片３１を押圧して充電動作を行わせる押圧片７７ｈとが設けられている。
【００４６】
スライド板７８には、シグナル部材１７に形成されたピン１７ａに係合する係合部７８ａが設けられている。また、スライド板７８には、操作部材１５の２本のスライドピン７４ｂ，７４ｃがそれぞれ挿入される二つの開口７８ｂ，７８ｃと、軸受板７７のスライドピン７７ｇが挿入される開口と７８ｄと、受け板７９のガイドピン７９ａと係止片７９ｂとが挿入されるスリット７８ｅと、受け板７９のガイドピン７９ｃが挿入されるスリット７８ｆと、軸受板７７の押圧片７７ｈが挿入される開口７８ｇとが設けられている。スリット７８ｅ内には、受け板７９の係止片７９ｂに係合する突起７８ｈが設けられている。
【００４７】
スライド板７８は、操作部材１５の第１操作位置と第２操作位置と間の移動時に、操作部材１５のスライドピン７４ｂと軸受板７７のスライドピン７７ｇとに押圧されて上下方向でスライドする。また、操作部材１５が第２操作位置と第３操作位置との間で回動する際には、操作部材１５の回動中心から離れて設けられたスライドピン７４ｃがスライド板７８を押圧し、スライド板７８を更に大きくスライドさせる。
【００４８】
受け板７９には、前述のガイドピン７９ａ，７９ｃ及び係止片７９ｂと、減光レバー８０を回動自在に軸支するピン７９ｄと、表示レバー８１を回動自在に支持するピン７９ｅと、操作部材１５のガイドピン７４ｅに当接する規制リブ７９ｆと、ガイドピン７４ｅに当接する規制ピン７９ｇと、軸受板７７の押圧片７７ｈが挿入される開口７９ｈとが設けられている。開口７９ｈは、ストロボユニット２４の充電スイッチの金属接片３１に対面する位置に設けられている。
【００４９】
受け板７９は、ストロボユニット２４のプリント基板２９の前面側に取り付けられ、ガイドピン７９ａ，７９ｃと係止片７９ｂとによって、スライド板７８と軸受板７７と操作部材１５とをガイドする。受け板７９の規制リブ７９ｆは、操作部材１５のガイドピン７４ｅに当接して、第１操作位置にある操作部材１５が回動されないように、また第３操作位置にある操作部材１５が下方にスライドされないように規制する。受け板７９の規制ピン７９ｇは、操作部材１５が第２操作位置にある際にガイドピン７４ｅに当接し、操作部材１５が簡単に第３操作位置に回動されるのを阻止する。
【００５０】
減光レバー８０には、受け板７９のピン７９ｄに挿通されるボス８０ａと、操作部材１５の減光用突起７４ｆによって押し上げられるリフト片８０ｂと、表示レバー８１のリンクピン８１ａが挿入されるリンク穴８０ｃと、減光板８７に連係するリンクピン８０ｄとが設けられている。
【００５１】
減光板８７は、減光部材１９の下方に縦方向の長穴８７ａと横方向の長穴８７ｂとが形成されている。縦方向の長穴８７ａには、前カバー２６の前面内壁でストロボ発光部の下方に形成された２本のピン２６ａ，２６ｂ（図１８参照）が挿入される。これにより、減光板８７は前カバー２６の内側において上下方向でスライド自在となる。横方向の長穴８７ｂには、減光レバー８０のリンクピン８０ｄが挿入される。
【００５２】
表示レバー８１には、受け板７９のピン７９ｅに挿通されるボス８１ｂと、ファインダ６の前方に挿脱される指標板２０と、減光レバー８０のリンク穴８０ｃに挿入されるリンクピン８０ａとが設けられている。表示レバー８１は、減光レバー８０が操作部材１５によって持ち上げられて、減光部材１９がストロボ発光部７の前方の挿入された時に、減光レバー８０のリンク穴８０ｃにリンクピン８１ａが押圧されて回動される。これにより指標板２０がファインダ６の前方に挿入される。
【００５３】
図１５〜図１７は、第１撮影モード〜第３撮影モードでの操作部材１５，軸受板７７，スライド板７８，シグナル部材１７，受け板７９の状態を示す説明図である。なお、図面の煩雑化を避けるために、各部品の図示を次のように簡略化している。操作部材１５は、切替板７４と回動ガイド７４ａの外形と、各ピン７４ｂ〜ｅ及び減光用突起７４ｆとを２点鎖線で図示し、各ピン７４ｂ〜７４ｅ及び減光用突起７４ｆにはハッチングを施している。また、軸受板７７は、外形と主要な開口７７ａ〜７７ｄと、スライドピン７７ｇ及び押圧片７７ｈとを破線で図示し、スライドピン７７ｇと押圧片７７ｈとにハッチングを施している。スライド板７８は、外形と主要な開口７８ｂ〜７８ｇを実線で図示している。受け板７９は、外形と、ガイドピン７９ａ，７９ｃ及び係止片７９ｂ，規制リブ７９ｆ，規制ピン７９ｇを実線で図示している。
【００５４】
図１５に示すように、第１撮影モードにある撮影モード切替機構２５は、操作部材１５が第１操作位置にあるため、軸受板７７及びスライド板７８も移動範囲内の最下部にある。軸受板７７の側面の突起７７ｆが前カバー２６の係止片８８に係合しており、スライド板７８の突起７８ｈが受け板７９の係止片７９ｂに係合しているため、操作部材１５の第２操作位置への不用意なスライドは発生しない。また、操作部材１５のガイドピン７４ｅが受け板７９の規制リブ７９ｆの側面に当接しているため、第１操作位置において操作部材１５が回動されることもない。
【００５５】
第１撮影モード時のシグナル部材１７は、ユニット本体３の上面から突出されていない。また、図１８に示すように、操作部材１５の減光用突起７４ｆが減光レバー８０のリフト片８０ｂに接触していないため、減光部材１９はストロボ発光部７の前方に存在しない。同様に、表示レバー８１の指標板２０もファインダ６の前方には露呈されない。
【００５６】
図１６に示すように、操作部材１５が第１操作位置から第２操作位置へとスライドされると、回動ガイド７４ａに軸受開口７７ａが嵌合された軸受板７７が、一緒に上方にスライドする。この時に、軸受板７７の押圧片７７ｈがストロボユニット２４の充電スイッチの金属接片３１を押圧し、ストロボ充電を開始させる。また、操作部材１５のスライドピン７４ｂと軸受板７７のスライドピン７７ｇとに押圧されて、スライド板７８も上方にスライドする。このスライド板７８のスライドによってシグナル部材１７が上方に移動され、ユニット本体３の上面から突出される。
【００５７】
なお、図１９に示すように、第２撮影モードにおいても、操作部材１５の減光用突起７４ｆは減光レバー８０のリフト片８０ｂに接触しないため、減光部材１９と指標板２０はレンズ付きフイルムユニット２の表面に露呈されない。
【００５８】
また、軸受板７７の突起７７ｆが前カバー２６の係止片８８に係合し、スライド板７８の突起７８ｈが受け板７９の係止片７９ｂに係合するため、振動や衝撃によって操作部材１５が第１操作位置にスライドすることはない。更に、操作部材１５のガイドピン７４ｅが受け板７９の規制ピン７９ｇに当接するため、振動や衝撃によって操作部材１５が第３操作位置に回動することはない。
【００５９】
図１７に示すように、操作部材１５が第２操作位置から第３操作位置へと移動されると、操作部材１５は軸受開口７７ａに軸受された回動ガイド７４ａを中心に図中時計方向に回動する。その際に、スライドピン７４ｃがスライド板７８の開口７８ｃを押圧し、スライド板７８を第２撮影モードの時よりも更に上方に持ち上げる。これにより、シグナル部材１７のユニット本体３の上面からの突出量が若干大きくなる。なお、第２撮影モードと第３撮影モードとの間では、軸受板７７は移動しないため、ストロボユニット２４の充電スイッチはオン状態が維持される。
【００６０】
また、図２０に示すように、第３操作位置に移動された操作部材１５は、減光用突起７４ｆによって減光レバー８０のリフト片８０ｂを押し上げる。減光レバー８０は、ボス８０ａを中心に反時計方向に回動し、リンクピン８０ｄで減光板８７を上方に持ち上げる。減光板８７の減光部材１９は、ストロボ発光部７の前方に挿入される。また、減光レバー８０のリンク穴８０ｃによってリンクピン８１ａが押圧された表示レバー８１は、図中時計方向に回動して指標板２０をファインダ６の前方に挿入する。
【００６１】
なお、軸受板７７の突起７７ｆが前カバー２６の係止片８８に係合し、操作部材１５のガイドピン７４ｅが受け板７９の規制リブ７９ｆの上面に当接しているため、振動や衝撃によってスライド板７８が下降することはない。また、操作部材１５のクリックピン７４ｄが軸受板７７の突起７７ｅに係合しているため、振動や衝撃によって操作部材１５が第２操作位置に回動することはない。
【００６２】
次に、上記実施形態の作用について説明する。図１に示すように、日中撮影モードにあるレンズ付きフイルムユニット２は、撮影モード選択部８の操作部材１５が開口１４の下方の第１操作位置にスライドされている。
【００６３】
この日中撮影モードでは、図１０に示すように、切替リング６８がバネ７０に付勢されてストッパー７２に当接する初期位置にある。切替リング６８が初期位置にある時には、絞り切替板６３が小絞り位置にセットされ、図６に示すように、ストップレバー４９が高速シャッタ位置にセットされている。
【００６４】
また、図１５に示すように、日中撮影モードでは、切替板７４，軸受板７７，スライド板７８が下方にあるため、ストロボユニット２４の充電スイッチの金属接片３１は押圧されておらず、シグナル部材１７はユニット本体３の上面から突出されていない。
【００６５】
図１８に示すように、日中撮影モードでは、切替板７４の減光用突起７４ｆが減光レバー８０のリフト片８０ｂに当接しないため、減光部材１９と指標板２０はレンズ付きフイルムユニット２の前面に露呈されない。
【００６６】
日中撮影モードで撮影を行うと、ストロボ発光は行われない。また、絞りの状態は小絞り状態であり、図８に示すように、ストップレバー４９によってシャッタ羽根３８の回動が途中で阻止され、シャッタ速度が速くなる。これにより、輝度の高い日中屋外での撮影に適した露出で撮影を行うことができる。
【００６７】
図２に示すように、撮影モード選択部８の操作部材１５が開口１４の上方の第２操作位置にスライドされると、レンズ付きフイルムユニット２は日中シンクロ撮影モードにセットされる。
【００６８】
図１１に示すように、日中シンクロ撮影モードにおいても、切替リング６８は初期位置に維持される。そのため、日中撮影モードと同様に、小絞り状態及び高速シャッタ状態となる。
【００６９】
図１６に示すように、日中シンクロ撮影モードでは、切替板７４，軸受板７７，スライド板７８が上方にスライドされている。ストロボユニット２４の充電スイッチの金属接片３１は、軸受板７７の押圧片７７ｈに押圧されてオン状態となるため、ストロボユニット２４ではストロボ充電が行われる。
【００７０】
また、スライド板７８は、シグナル部材１７を押圧して、ユニット本体３の上面から突出させている。ストロボ充電が完了すると、ストロボユニット２４に設けられた発光素子が点灯または点滅し、この発光素子の光は、シグナル部材１７にガイドされてユニット本体３外に放射される。
【００７１】
図１９に示すように、日中シンクロ撮影モードでも、切替板７４の減光用突起７４ｆは減光レバー８０のリフト片８０ｂに当接しない。そのため、減光部材１９と指標板２０との非表示状態が維持される。
【００７２】
日中シンクロ撮影モードで撮影を行うと、ストロボ発光が行われる。また、小絞り状態及び高速シャッタ状態であるため、輝度の高い日中屋外でのシンクロ撮影に適した露出で撮影を行うことができる。
【００７３】
図３に示すように、撮影モード選択部８の操作部材１５が第２操作位置から第３操作位置に回動されると、レンズ付きフイルムユニット２は夜間シンクロ撮影モードにセットされる。
【００７４】
図１２に示すように、夜間シンクロ撮影モードでは、切替板７４の押圧レバー７５が切替リング６８の従動ピン６８ａを下方から押圧する。切替リング６８は、バネ７０の付勢に抗して初期位置から反時計方向に回動する。切替リング６８の回動によって、絞り切替板６３が大絞り位置に回動し、大絞り開口６２ａが撮影光軸上に配置される。また、図７に示すように、ストップレバー４９は低速シャッタ位置にセットされる。
【００７５】
図１７に示すように、夜間シンクロ撮影モードでは、切替板７４が操作部材２５と一緒に回動され、スライド板７８が日中シンクロ撮影モードの時よりも更に上方にスライドされる。そのため、シグナル部材１７も若干上方に移動されるが、充電完了を表示する機能は損なわれない。なお、軸受板７７は、日中シンクロ撮影モードの時と同じ位置に保持されるため、ストロボユニット２４の充電スイッチは、オン状態が維持される。
【００７６】
図２０に示すように、夜間シンクロ撮影モードでは、切替板７４の減光用突起７４ｆによってリフト片８０ｂが押圧される。そのため、減光レバー８０が図中反時計方向に回動し、減光部材１９がストロボ発光７の前方に挿入される。また、減光レバー８０の回動に連動して表示レバー８１が回動し、指標板２０がファインダ６の前方に挿入される。これにより、撮影者がファインダ６を覗いた時に、夜間シンクロ撮影モードにあることが分かる。
【００７７】
夜間シンクロ撮影モードで撮影を行うと、ストロボ発光が行われるが、減光部材１９によってストロボ光が遮られるため、ストロボ光量は小さくなる。また、大絞り及び低速シャッタ状態となるため、被写体の周辺光の取り込み量が増加する。これにより、夜間や屋内での撮影でも、露光オーバーを発生させることなく、被写体と被写体の周辺画像とをバランスよく撮影することができる。
【００７８】
写真撮影に対する知識が乏しいユーザーでは、撮影モードの選択に迷いが生じることがある。本実施形態のレンズ付きフイルムユニット２では、撮影モードの選択に迷った時に、日中シンクロ撮影モードが選択される確率が高い。これは、撮影モードが３種類ある場合に、中間の撮影モードが選択されることが多いためである。
【００７９】
また、日中撮影モードと日中シンクロ撮影モードとが同じ上下方向でのスライド操作によって選択され、夜間シンクロ撮影モードのみが回動操作によって選択されることから、夜間シンクロ撮影モードが特殊な撮影モードであるという認識がユーザーに生じる。そのため、特殊な夜間シンクロ撮影モードよりも、一般的な日中シンクロ撮影モードが選択されることになる。
【００８０】
このように、撮影モードの選択に迷った時に日中シンクロ撮影モードが選択されると、日中屋外や夜間及び室内においても露光オーバーが発生しないため、ひどい撮影ミスが生じることはない。
【００８１】
なお、上記実施形態では、第１撮影モードと第２撮影モードとの間の切り替えを上下方向でのスライドにより行い、第２撮影モードと第３撮影モードとの間の切り替えを回動によって行うようにした。しかしながら、図２１の（Ａ）〜（Ｃ）に示すように、操作部材９０を開口９１内で上下方向にスライドさせて、第１撮影モード〜第３撮影モードの選択を行えるようにしてもよい。
【００８２】
図２２は、操作部材の上下方向のスライドで第１撮影モード〜第３撮影モードの選択を行えるようにした、本発明の第２の実施形態の構成を示す分解斜視図である。以下、本願発明のその他の実施形態について説明するが、第１の実施形態で説明したものと同じ部品については、詳しい説明を省略する。
【００８３】
レンズホルダ９３の鏡筒９４内には、第１レンズ９５と第２レンズ９６とが収納される。これら第１レンズ９５と第２レンズ９６との間には、大絞り開口９７ａが形成された大絞り板９７と、絞り切替板９８と、スペーサー９９とが収められる。鏡筒９４の側面には、絞り切替板９８が挿脱される切欠９４ａが形成されている。
【００８４】
絞り切替板９８は、略く字形状をしており、一端に小絞り開口９８ａが形成されている。この絞り切替板９８は、レンズホルダ９３の鏡筒９４の近傍に形成されたピン１００に軸支され、図２３及び図２４に示すように、小絞り開口９８ａを撮影光軸上に挿入する位置と、図２５に示すように、撮影光軸上から退避させる位置との間で回動される。
【００８５】
絞り切替板９８は、ピン１００との間に取り付けられたバネ１０１によって、小絞り開口９８ａを撮影光軸上に挿入する方向に付勢されている。絞り切替板９８の他端には、水平方向に突出されたリンク片９８ｂが一体に形成されている。
【００８６】
遮光筒１０３の上面には、ストップレバー１０４を回動自在に支持するピン１０５が形成されている。ストップレバー１０４は、ピン１０５に支持されるボス１０６と、このボス１０６の側面から突出された２本のアーム１０７，１０８と、アーム１０７の先端に形成されたパッド１０９とからなる。
【００８７】
図２３及び図２４に示すように、ストップレバー１０４は、パッド１０９をストロボユニットのシンクロスイッチ１１０の下方に挿入する高速シャッタ位置と、図２５に示すように、パッド１０９をシンクロスイッチ１１０の下方から退避させる低速シャッタ位置との間で回動される。このストップレバー１０４は、バネ１１１による付勢と位置決めピン１１２への当接とによって、高速シャッタ位置が初期位置とされている。
【００８８】
鏡筒９４の外周には、切替レバー１１４の端部に形成された環状部１１４ａが回動自在に嵌着される。切替レバー１１４の先端は略Ｌ字形状に屈曲されており、その先端に板状の減光部材１１５が取り付けられるピン１１４ｂが形成されている。減光部材１１５は、前カバーの前面内壁に、上下方向でスライド自在となるようにガイドされる。そのため、切替レバー１１４が環状部１１４ａで回動すると、図２３〜図２５に示すように、ストロボ発光部１１６の前方に減光部材１１５が挿脱される。
【００８９】
切替レバー１１４の中間部分には、背面側に向けて突出された円柱形状のリンクピン１１８が設けられている。このリンクピン１１８は、切替レバー１１４が回動された時に絞り切替板９８のリンク片９８ｂを押圧して回動させる。また、リンクピン１１８の先端には、ストップレバー１０４のアーム１０８に当接した時に、ストップレバー１０４をバネ付勢に抗して回動させる傾斜面１１８ａが形成されている。
【００９０】
前カバーに形成された開口９１の内側には、開口９１を介して操作部材９０と連結されるスライド部材１２０が配置される。スライド部材１２０には、操作部材９０の裏面に係合される係合片１２０ａと、切替レバー１１４の先端近傍に形成された長穴１１４ｃに挿入されるピン１２０ｂと、下方に向かって延設された一対の弾性片１２０ｃとが形成されている。これらの弾性片１２０ｃの先端には突起１２０ｄが形成されている。
【００９１】
スライド部材１２０の弾性片１２０ｃの間には、スライド部材１２０と一緒にスライドされるストロボ充電部材１２２が挟持される。ストロボ充電部材１２２の側面には、弾性片１２０ｃの突起１２０ｄが係合される凹部１２２ａが形成されている。ストロボ充電部材１２２には、ストロボユニットの充電スイッチの金属接片１２４を押圧する押圧突起１２２ｂと、ストロボユニットに設けられた板状のストッパー１２５に当接する係止片１２２ｃとが設けられている。
【００９２】
図２３に示すように、操作部材９０が第１操作位置にセットされると、操作部材９０に接続されたスライド部材１２０は、スライド範囲の最下方に位置している。この状態では、ストロボ充電部材１２２の押圧突起１２２ｂは金属接片１２４を押圧しないため、ストロボユニットにおいてストロボ充電は行われない。
【００９３】
また、切替レバー１１４は、スライド部材１２０によって図中時計方向に回動されているため、減光部材１１５はストロボ発光部１１６の下方に配置されている。切替レバー１１４のリンクピン１１８は、自身の移動軌跡の最下方に位置しているため、絞り切替板９８とストップレバー１０４とには当接しない。これにより、レンズ付きフイルムユニットは、ストロボ非発光，小絞り，高速シャッタの日中撮影モード（第１撮影モード）にセットされる。
【００９４】
図２４に示すように、操作部材９０が第２操作位置にセットされると、これに連動してスライド部材１２０とストロボ充電部材１２２とが上方にスライドされる。このときに、ストロボ充電部材１２２の押圧突起１２２ｂが金属接片１２４を押圧するため、ストロボユニットにおいてストロボ充電が開始される。
【００９５】
切替レバー１１４は、スライド部材１２０の上方へのスライドによって、図中反時計方向に回動されるが、減光部材１１５がストロボ発光部１１６の前方に挿入されることはない。また、リンクピン１１８は、絞り切替板９８とストップレバー１０４とに当接しない。これにより、レンズ付きフイルムユニットは、ストロボ発光，小絞り，高速シャッタの日中シンクロ撮影モード（第２撮影モード）にセットされる。
【００９６】
図２５に示すように、操作部材９０が第３操作位置にセットされると、これに連動してスライド部材１２０とストロボ充電部材１２２とが上方にスライドされる。しかしながら、ストロボ充電部材１２２は、係止片１２２ｃがストッパー１２５に当接するため、第２撮影モードの位置で停止される。これにより、スライド部材１２０だけがストロボ充電部材１２２との係合を解除して上方にスライドし、ストロボ充電部材１２２は金属接片１２４の押圧を継続する。
【００９７】
切替レバー１１４は、スライド部材１２０の上方へのスライドによって、図中反時計方向に回動され、これに連動して減光部材１１５をストロボ発光部１１６の前方に挿入する。また、リンクピン１１８は、絞り切替板９８のリンク片９８ｂを押圧して回動させ、小絞り開口９８撮影光軸上から退避させる。リンクピン１１８の傾斜面１１８ａは、ストップレバー１０４のアーム１０８に当接して、低速シャッタ位置に回動させる。これにより、レンズ付きフイルムユニットは、ストロボ減光，大絞り，低速シャッタの夜間シンクロ撮影モード（第３撮影モード）にセットされる。
【００９８】
本実施形態においても、撮影モードの選択に迷いが生じた時に、操作部材９０の操作位置の中間に配置されている日中シンクロ撮影モードが選択されることが多いため、露光オーバーの発生を防止することができる。
【００９９】
また、図２６（Ａ）〜（Ｃ）に示すように、操作部材１３０を開口１３１内で上下方向にスライドさせて第１撮影モードと第２撮影モードとの間の切り替えを行い、操作部材１３０の倒伏によって第２撮影モードと第３撮影モードとの間の切り替えを行ってもよい。
【０１００】
図２７に示すように、操作部材１３０は板形状をしており、両側面に回動軸１３０ａが、上辺に押圧片１３０ｂが形成されている。この操作部材１３０は、回動軸１３０ａを支持する一対の軸受部１３２ａが形成されたスライド部材１３２に取り付けられる。スライド部材１３２は、上下方向でスライド自在とされている。詳しくは図示しないが、スライド部材１３２の背面には、上方にスライドされた時にストロボユニットの充電スイッチをオンさせる押圧突起が一体に形成されている。
【０１０１】
絞り切替板１３４は、略クランク形状とされており、例えば、レンズホルダに設けられたピン１３５に中間付近が軸支されている。絞り切替板１３４の一端には、撮影光軸上に挿脱される小絞り開口１３４ａが形成されている。この絞り切替板１３４は、小絞り開口１３４ａを撮影光軸上に挿入する小絞り位置と、撮影光軸上から小絞り開口１３４ａ退避させる大絞り位置との間で回動自在とされている。
【０１０２】
絞り切替板１３４は、図示しないバネによって小絞り位置に付勢されている。絞り切替板１３４の他端には、垂直方向に突出されたリンク片１３４ｂが一体に形成されており、このリンク片１３４ｂには前方に向けて突出されたピン１３４ｃが設けられている。
【０１０３】
ストロボユニットのシンクロスイッチ１３７の近傍には、回動自在なストップレバー１３８が配置されている。このストップレバー１３８は、ボス１３８ａと、このボス１３８ａの側面から突出された２本のアーム１３８ｂ，１３８ｃと、アーム１３８ｂの先端に形成されたパッド１３８ｄとからなる。ストップレバー１３８は、パッド１３８ｄをシンクロスイッチ１３７の下方に挿入する高速シャッタ位置と、パッド１３８ｄをシンクロスイッチ１３７の下方から退避させる低速シャッタ位置との間で回動される。
【０１０４】
ストップレバー１３８は、バネ１４０によって低速シャッタ位置に向けて付勢されている。第１撮影モード及び第２撮影モードでは、アーム１３８ｃが規制レバー１４１が掛けられて、ストップレバー１３８が高速シャッタ位置に保持されている。規制レバー１４１の先端には、低速シャッタ位置にあるストップレバー１３８を高速シャッタ位置に回動させる際に、アーム１３８ｃを引っかけやすくするための傾斜面が形成されている。
【０１０５】
略Ｌ字形状の規制レバー１４１は、切替レバー１４３の一端側に設けられている。切替レバー１４３の一端は、絞り切替板１３４のピン１３４ｃの上に載置される。操作部材１３０の引き起し時には、操作部材１３０の押圧片１３０ｂが切替レバー１４３の一端側を押圧し、切替レバー１４３と絞り切替板１３４とを一緒に回動させる。
【０１０６】
切替レバー１４３は、レンズ付きフイルムユニットに設けられたピン１４５に取り付けられて回動自在とされており、その他端には、減光部材１４６が取り付けられている。減光部材１４６は、上下方向でスライド自在となるように前カバーの前面内壁にガイドされ、切替レバー１４３の回動によってストロボ発光部１４７の前方に挿脱される。
【０１０７】
図２７に示すように、操作部材１３０が第１操作位置にセットされている状態では、スライド部材１３２の背面に形成された押圧突起はストロボユニットの充電スイッチを押圧しない。また、絞り切替板１３４はバネの付勢によって小絞り位置にあり、減光部材１４６はストロボ発光部１４７の下方に配置されている。切替レバー１４３の規制レバー１４１は、バネ１４０の付勢に抗してストップレバー１３８を高速シャッタ位置で保持している。これにより、レンズ付きフイルムユニットは、ストロボ非発光，小絞り，高速シャッタの日中撮影モード（第１撮影モード）にセットされる。
【０１０８】
図２８に示すように、操作部材１３０が第２操作位置にセットされると、これに連動してスライド部材１３２が上方にスライドされる。このときに、スライド部材１３２の押圧突起がストロボ充電スイッチを押圧するため、ストロボユニットにおいてストロボ充電が開始される。
【０１０９】
また、操作部材１３０を上方にスライドしても、絞り切替板１３４と切替レバー１４３とが動くことはない。そのため、レンズ付きフイルムユニットは、ストロボ通常発光，小絞り，高速シャッタの日中シンクロ撮影モード（第２撮影モード）にセットされる。
【０１１０】
図２９に示すように、操作部材１３０が前方に引き起こされると、押圧片１３０ｂが切替レバー１４３の一端側を下方に押し下げる。これにより、切替レバー１４３が図中反時計方向に回動して、減光部材１４６がストロボ発光部１４７の前方に挿入される。また、規制レバー１４１は下方に移動するため、ストップレバー１３８はバネ１４０の付勢によって低速シャッタ位置に回動する。
【０１１１】
反時計方向に回動した切替レバー１４３は、絞り切替板１３４のピン１３４ｃを押圧して時計方向に回動させる。これにより、小絞り開口１３４ａが撮影光軸上から退避され、大絞り開口１４９が撮影光軸上に配置される。これにより、レンズ付きフイルムユニットは、ストロボ減光発光，大絞り，低速シャッタの夜間シンクロ撮影モード（第３撮影モード）にセットされる。
【０１１２】
本実施形態においても、撮影モードの選択に迷いが生じた時に、一般的な撮影モードと認識される日中シンクロ撮影モードが選択されることが多いため、露光オーバーの発生を防止することができる。
【０１１３】
また、図３０（Ａ）〜（Ｃ）に示すように、前カバーの開口１５１内の操作部材１５２を上下方向でスライドさせて第１撮影モードと第２撮影モードとの間の切り替えを行い、操作部材１５２の横方向のスライドで第２撮影モードと第３撮影モードとの間の切り替えを行うようにすることもできる。
【０１１４】
この場合、図３１に示すように、上下方向でスライド自在とされたスライド板１５４に、操作部材１５２を横方向でスライドできるように保持するスリット１５５を形成すればよい。これにより、操作部材１５２が上方にスライドされた時に、スライド板１５４の押圧突起１５６によって金属接片１５７が押圧されてストロボ充電が開始される。操作部材１５２が横方向でスライドされた時には、操作部材１５２の移動に連動して、絞りとシャッタ速度とを切り替え、減光部材及び指標板を露呈させればよい。
【０１１５】
また、図３２（Ａ）〜（Ｃ）に示すように、第１操作位置〜第３操作位置の間で移動される操作部材１６０に、外側に向けて突出されるロック片１６１を取り付け、操作部材１６０が第２操作位置に移動された時にロック片１６１が当接して操作部材１６０のスライドが阻止されるように、前カバーの開口１６２に段差を形成してもよい。
【０１１６】
更に、図３３（Ａ）〜（Ｃ）に示すように、開口１６５内の上下方向で設定された第１操作位置と第２操作位置との間で移動される操作部材１６６を設け、この操作部材１６６が第２操作位置にある時に開口１６５内に押し込むことで、第３撮影モードがセットされるようにしてもよい。
【０１１７】
また、上記各実施形態では、一つの操作部材によって第１撮影モード〜第３撮影モードの切り替えを行っている。しかしながら、二つの操作部材を用いて第１撮影モード〜第３撮影モードの切り替えを行ってもよい。
【０１１８】
二つの操作部材の配置方法としては、図３４に示すように、例えば、一つの開口１７０内に第１操作部材１７１，第２操作部材１７２を上下方向で並べて配置することができる。そして、第１操作部材１７１及び第２操作部材１７２がともに下方にあるときに第１撮影モードとし、第１操作部材１７１のみが上方にスライドされた時に第２撮影モードとし、第１操作部材１７１及び第２操作部材１７２が上方にスライドされた時に第３撮影モードにセットされるようにしてもよい。
【０１１９】
図３５に示すように、第１操作部材１７１の背後には、第１操作部材１７１と一緒に上下方向でスライドされるスライド板１７４が一体に設けられている。スライド板１７４の背面には、第１操作部材１７１が第２操作位置にスライドされた時に、ストロボユニットの充電スイッチをオンさせる押圧突起が一体に形成されている。また、スライド板１７４の上部には、第１の実施形態において説明されたシグナル部材に係合される係合部１７５が設けられている。
【０１２０】
第２操作部材１７２の背後には、絞り切替板１７９及びストップレバー１８２を動作させる略Ｌ字形状の作動レバー１７７と、減光部材１８６を動作させる作動レバー１７８とが設けられている。絞り切替板１７９は、一端がピン１８０によって軸支されており、他端に小絞り開口１７９ａが形成されている。絞り切替板１７９は、この小絞り開口１７９ａを撮影光軸上に挿入する小絞り位置と、退避させる大絞り位置との間で回動される。
【０１２１】
絞り切替板１７９は、図示しないバネに付勢されて小絞り位置に保持されている。絞り切替板１７９の他端には、水平方向に突出された被押圧片１７９ｂが一体に形成されている。この被押圧片１７９ｂは、下方に配置された作動レバー１７７によって下方から押圧される。
【０１２２】
作動レバー１７７の上方には、垂直方向において揺動自在とされた揺動レバー１８１が配置されている。揺動レバー１８１の下端には、作動レバー１７７が上方にスライドされた時に押圧されるカム部１８１ａが設けられている。揺動レバー１８１の上端は、ストップレバー１８２の一端に形成されたフォーク部１８２ａ内に挿入されている。
【０１２３】
ストップレバー１８２は、シンクロスイッチ１８４と平行に配置されており、他端に設けられた受け部材１８２ｂをシンクロスイッチ１８４の下方に挿入する高速シャッタ位置と、受け部材１８２ｂをシンクロスイッチ１８４の下方から退避させる低速シャッタ位置との間で回動自在とされている。ストップレバー１８２は、図示しないバネに付勢されて高速シャッタ位置に保持されている。
【０１２４】
第２操作部材１７２のもう一方の作動レバー１７８の先端には、減光部材１８６から突出されたピン１８６ａが挿入される長穴１７８ａが形成されている。減光部材１８６は略Ｌ字形状であり、ストロボ発光部１８７の下方で一端が軸支されて回動自在とされている。
【０１２５】
図３５に示すように、第１操作部材１７１と第２操作部材１７２とが開口１７０の下方にある状態では、スライド部材１７４の背面に形成された押圧突起はストロボユニットの充電スイッチを押圧しない。また、絞り切替板１７９は小絞り位置にあり、ストップレバー１８１は高速シャッタ位置にある。減光部材１８６はストロボ発光部１８７の下方に配置されている。これにより、レンズ付きフイルムユニットは、ストロボ非発光，小絞り，高速シャッタの日中撮影モード（第１撮影モード）にセットされる。
【０１２６】
図３６に示すように、第１操作部材１７１が第２操作位置にセットされると、これに連動してスライド部材１７４が上方にスライドされる。このときに、スライド部材１７４の押圧突起がストロボ充電スイッチを押圧するため、ストロボユニットにおいてストロボ充電が開始される。また、係合部１７５に係合されたシグナル部材がレンズ付きフイルムユニットの上面から突出され、発光によってストロボ充電の完了を知らせる。
【０１２７】
第１操作部材１７１を上方にスライドしても、絞り切替板１７９と、ストップレバー１８２と、減光部材１８６とが動くことはない。そのため、レンズ付きフイルムユニットは、ストロボ通常発光，小絞り，高速シャッタの日中シンクロ撮影モード（第２撮影モード）にセットされる。
【０１２８】
図３７に示すように、第２操作部材１７２が上方にスライドされると、作動レバー１７７，１７８が一緒に移動する。一方の作動レバー１７７は、絞り切替板１７９の被押圧片１７９ｂを押圧して大絞り位置に回動させ、大絞り開口１８３を撮影光軸上に配置する。また、作動レバー１７７は揺動レバー１８１のカム部１８１ａを押圧し、図中時計方向に揺動させる。揺動レバー１８１が揺動すると、フォーク部１８２ａで連係されたストップレバー１８２が低速シャッタ位置に回動し、受け部１８２ｂがシンクロスイッチ１８４の下方から退避される。
【０１２９】
他方の作動レバー１７８は、減光部材１８６のピン１８６ａを押圧して回動させ、ストロボ発光部１８７の前方に減光部材１８６を挿入させる。これにより、レンズ付きフイルムユニットは、ストロボ減光，大絞り，低速シャッタの夜間シンクロ撮影モード（第３撮影モード）にセットされる。本実施形態では、第２操作部材１７２の上方へのスライドによって、第１撮影モードから第３撮影モードに直接切り替えることもできる。
【０１３０】
また、図３８に示すように、略Ｌ字形状に形成された開口１９０内に第１操作部材１９１と第２操作部材１９２とを配置してもよい。この場合、同図（Ａ）に示すように、第１操作部材１９１が下方にあるときに第１撮影モードとし、同図（Ｂ）に示すように、第１操作部材１９１が上方にスライドされたときに第２撮影モードとし、同図（Ｃ）に示すように、第２操作部材１９２が左方にスライドされた時に第３撮影モードにセットする。
【０１３１】
更に、図３９に示すように、逆Ｌ字形状に形成された開口１９５内に第１操作部材１９６と第２操作部材１９７とを配置してもよい。この場合、同図（Ａ）に示すように、第１操作部材１９６と第２操作部材１９７とが下方にあるときに第１撮影モードとし、同図（Ｂ）に示すように、第１操作部材１９６と第２操作部材１９７とが上方にスライドされたときに第２撮影モードとし、同図（Ｃ）に示すように、第２操作部材１９７が左方にスライドされた時に第３撮影モードにセットする。
【０１３２】
このように、一つの開口内に二つの操作部材を配置した場合、第１撮影モードと第２撮影モードとの間の切り替えを行う第１操作部材によって、第２撮影モードと第３撮影モードとの間の切り替えを行う第２操作部材の移動を阻止することができるので、第３撮影モードが不用意に選択されるのを防止することができる。また、撮影モードの選択に迷った時には、第２撮影モードが選択される可能性が高くなるため、不適切な撮影環境下で第３撮影モードが選択されて露光オーバーが発生するのを防止することができる。
【０１３３】
また、二つの操作部材を離れた位置に配置することもできる。二つの操作部材を離れた位置に配置する一例として、図４０に示す実施形態がある。この実施形態では、上下方向でスライドされる第１操作部材２００によって第１撮影モードと第２撮影モードとの間の切り替えを行い、横方向でスライドされる第２撮影部材２０１によって第２撮影モードと第３撮影モードとの間の切り替えが行われる。
【０１３４】
なお、第１撮影モードと第２撮影モードとの差異は、ストロボ発光のオン／オフのみなので、第１操作部材２００には、従来のストロボ内蔵レンズ付きフイルムユニットに用いられていた、ストロボ発光用の操作部材を用いることができる。
【０１３５】
図４１及び図４２は、第２操作部材２０１によって減光部材及び指標板の挿脱と、絞り及びシャッタ速度の切り替えを行う機構の構成を示している。なお、図中の円環状の部品２０３は、第１実施形態において用いた切替リングであり、本実施形態では、この切替リング２０１を用いて第１実施形態と同様に絞りとシャッタ速度との切り替えを行う。そのため、切替リング以降の動作説明は省略する。
【０１３６】
第２操作部材２０１には、水平方向に延ばされたアーム２０５が設けられている。アーム２０５の先端には、上方に向けて屈曲された押圧部２０６が設けられている。第２操作部材２０１が図中左方から右方にスライドされると、押圧部２０６が切替リング２０３の下部に形成されたピン２０７に当接し、切替リング２０３を図中反時計方向に回動させる。これにより、第１実施形態と同様に、絞りとシャッタ速度とが切り替えられる。
【０１３７】
第２操作部材２０１のアーム２０５には、上方に向けて突出された枠部材２０９が一体に形成されている。この枠部材２０９の中には、垂直方向に配置されたスリット２１０が形成されている。このスリット２１０内には、上下方向で移動自在とされた可動ピン２１１が挿入されている。可動ピン２１１には、上方に向けて配置されたリンクレバー２１２が設けられている。枠部材２１０の背後には、可動ピン２１１に当接する傾斜リブ２１３が配置されている。
【０１３８】
ストロボ発光部２１５とファインダ２１６との間には、一端がピン２１７に取り付けられて回動自在とされた表示レバー２１８が配置されている。この表示レバー２１８の他端には、ファインダ２１６の前方に挿脱される指標板２１９が一体に形成されている。
【０１３９】
ストロボ発光部２１５の下方には、一端がピン２２１に取り付けられて回動自在とされた減光レバー２２２が配置されている。この減光レバー２２２の他端には、ストロボ発光部２１５の前方に挿脱される減光部材２２３が一体に形成されている。また、減光レバー２２２の上辺には、表示レバー２１８を回動させる駆動ピン２２４が設けられている。可動ピン２１１のリンクレバー２１２の端部は、減光レバー２２２に係合されている。
【０１４０】
図４１に示すように、第２操作部材２０１が図中左方にあるときには、切替リング２０３は回動されないため、小絞り及び高速シャッタ状態となる。また、可動ピン２１１は、傾斜リブ２１３にガイドされて枠部材２０９のスリット２１０の下方にあるため、減光レバー２２２と表示レバー２１８とは、外部に露呈されない。
【０１４１】
図４２に示すように、第２操作部材２０１が図中右方にスライドされると、押圧部２０６によって切替リング２０３が図中反時計方向に回動され、大絞り及び低速シャッタ状態となる。可動ピン２１１は、傾斜リブ２１３にガイドされてスリット２１０内で上方に移動する。これにより、リンクレバー２１２が減光レバー２２２を押圧して反時計方向に回動させ、減光部材２２３をストロボ発光部２１５の前方に挿入する。減光レバー２２２は、この回動時に駆動ピン２２４で表示レバー２１８を押し上げ、指標板２１９をファインダ２１６の前方に挿入する。
【０１４２】
また、図４３（Ａ）〜（Ｃ）に示すように、同一の動作を行う二つの操作部材を並列に配置してもよい。この実施形態では、第１操作部材２２７によって第１撮影モードと第２撮影モードとの間の切り替えを行い、第２操作部材２２８によって第２撮影モードと第３撮影モードとの間の切り替えを行っている。なお、第３撮影モードが特殊なモードであることをユーザに認識させるために、第２操作部材２２８のサイズを第１操作部材２２７よりも小さくするとよい。
【０１４３】
図４４に示すように、第１操作部材２２７の背後には、第１操作部材２２７と一緒に上下方向でスライドされるスライド板２３０が設けられている。スライド板２３０の背面には、上方にスライドされた時にストロボユニットの充電スイッチをオンさせる押圧突起（図示せず）が一体に形成されている。
【０１４４】
第２操作部材２２８の背後には、第２操作部材２２８と一緒に上下方向でスライドされる切替板２３２が一体に設けられている。スライド板２３０と切替板２３２との間には、第１操作部材２２７と第２操作部材２２８とが上方にスライドされた時に、スライド板２３０の突起２３０ａと切替板２３２の突起２３２ａとが当接する規制片２３４が配置されている。
【０１４５】
切替板２３２には、側方に配置された絞り切替板２３６を動作させるピン２３２ｅと、背後に配置されたストップレバー２３７を動作させるカム突起２３２ｂと、ストロボ発光部２３８の前方に挿脱される減光部材２３２ｃと、ファインダ２３９の前方に挿脱される指標板２３２ｄとが一体に形成されている。
【０１４６】
絞り切替板２３６は略クランク形状とされ、中央近傍がピン２４０によって軸支されている。絞り切替板２３６の一端には、小絞り開口２３６ａが形成されている。絞り切替板２３６は、小絞り開口２３６ａを撮影光軸上に挿入する小絞り位置と、小絞り開口２３６ａを撮影光軸上から退避させる大絞り位置との間で回動される。絞り切替板２３６の他端には、切替板２３２のピン２３２ｅが挿入される長穴２３６ｂが形成されている。
【０１４７】
ストップレバー２３７は、シンクロスイッチ２４２の下方に挿脱される規制アーム２４３と、スライド部材２３２の背後に配置される連係アーム２４４とが直角に配されて略Ｌ字形状とされている。連係アーム２４４は、中央近傍がピン２４５に軸支され、カム突起２３２ｂに当接する。ストップレバー２３７は、規制アーム２３４がシンクロスイッチ２４２の下方に挿入される高速シャッタ位置と、規制アーム２３４がシンクロスイッチ２４２の下方から退避される低速シャッタ位置との間で回動される。
【０１４８】
図４４に示すように、第１操作部材２２７と第２操作部材２２８とが下方にある状態では、ストロボユニットの充電は行われない。また、絞り切替板２３６は小絞り位置にあり、ストップレバー２３７は高速シャッタ位置にある。減光部材２３２ｃはストロボ発光部２３８の下方に、指標板２３２ｂはファインダ２３９の下方に配置されている。これにより、レンズ付きフイルムユニットは、ストロボ非発光，小絞り，高速シャッタの日中撮影モード（第１撮影モード）にセットされる。
【０１４９】
図４５に示すように、操作部材２２７が上方にスライドされると、これに連動してスライド部材２３０が上方にスライドされる。このときに、スライド部材２３０の押圧突起がストロボ充電スイッチを押圧するため、ストロボユニットにおいてストロボ充電が開始される。
【０１５０】
第１操作部材２２７を上方にスライドしても、切替板２３２は動かない。そのため、レンズ付きフイルムユニットは、ストロボ通常発光，小絞り，高速シャッタの日中シンクロ撮影モード（第２撮影モード）にセットされる。
【０１５１】
図４６に示すように、第２操作部材２２８が上方にスライドされると、切替板２３２が一緒に移動する。切替板２３２が上方に移動すると、ピン２３２ｅによって長穴２３６ａが押圧された絞り切替板２３６は、図中反時計方向の大絞り位置に回動し、大絞り開口２４１が撮影光軸上に配置される。また、切替板２３２のカム突起２３２ｂは、連係アーム２４４を押圧してストップレバー２３７を回動させ、低速シャッタ位置に回動させる。
【０１５２】
切替板２３２に設けられた減光部材２３２ｃと指標板２３２ｄとは、ストロボ発光部２３８とファインダ２３９との前方にそれぞれ挿入される。これにより、レンズ付きフイルムユニットは、ストロボ減光発光，大絞り，低速シャッタの夜間シンクロ撮影モード（第３撮影モード）にセットされる。
【０１５３】
また、図４７（Ａ）〜（Ｃ）に示すように、動作方法の異なる操作部材、例えば、上下方向でスライドして第１撮影モードと第２撮影モードとの間の切り替えを行う第１操作部材２４７と、円弧状にスライドして第２撮影モードと第３撮影モードとの間の切り替えを行う第２操作部材２４８とを用いてもよい。
【０１５４】
また、図４８（Ａ）〜（Ｃ）に示すように、上下方向でスライドして第１撮影モードと第２撮影モードとの間の切り替えを行う第１操作部材２５０と、押し込まれることによって第２撮影モードと第３撮影モードとの間の切り替えを行う第２操作部材２５１とを用いてもよい。
【０１５５】
また、図４９に示すように、レンズ付きフイルムユニットの前面に第１撮影モードと第２撮影モードとの切り替えを行う第１操作部材２５５を配置し、レンズ付きフイルムユニットの上面に第２撮影モードと第３撮影モードとの間の切り替えを行う第２操作部材２５６を設けてもよい。
【０１５６】
第１操作部材２５５の背後には、第１操作部材２５５と一緒に上下方向でスライドする縦スライド板２５８が設けられている。第２操作部材２５６の下方には、第２操作部材２５６と一緒に左右方向でスライドする横スライド部材２５９が設けられている。横スライド板２５９には、略Ｌ字形状のスリット２６０が形成されており、縦スライド板２５８にはスリット２６０に挿入される係合片２６１が設けられている。
【０１５７】
横スライド板２５９には、ストロボ発光部２６３の前方に挿脱される減光部材２５９ａと、ファインダ２６４の前方に挿脱される指標板２６５と、ファインダ２６４の視野範囲との干渉を防ぐための視野開口２６６と、下方に延設された駆動レバー２６７とが設けられている。指標板２６５は、夜間撮影のイメージを喚起できるように、三日月型とされている。
【０１５８】
駆動レバー２６７の背後には、略Ｔ字形状のストップレバー２６９が回動自在に配置されている。このストップレバー２６９には、シンクロスイッチ２７０の下方に挿脱される規制アーム２６９ａと、絞り切替板２７１の回動を行う回動アーム２７２と、駆動レバー２６７によって押圧されるカム部２６９ｃとが設けられている。
【０１５９】
絞り切替板２７１は略コ字形状をしており、一端に小絞り開口２７１ａが形成されている。この絞り切替板２７１の他端側はピン２７３によって回動自在に軸支され、近傍に水平方向に突出された被押圧片２７１ｂが設けられている。ストップレバー２６９の回動アーム２６９ｂの先端には、絞り切替板２７１の被押圧片２７１ａを押圧して回動させる傾斜面が形成されている。
【０１６０】
図４９に示すように、第１操作部材２５５が下方にある状態では、縦スライド板２５８の係合片２６１は横スライド板２５９のスリット２６０の垂直部分に係合している。そのため、第２操作部材２５６の図中右方への操作は行えない。
【０１６１】
縦スライド板２５８が下方に、横スライド板２５９が図中左方にある状態では、ストロボユニットの充電スイッチはオンされない。また、絞り切替板２７１は小絞り位置にあり、ストップレバー２６９は高速シャッタ位置にある。減光部材２５９ａはストロボ発光部２６３の側方に、指標板２６５はファインダ２６４の側方に配置されている。これにより、レンズ付きフイルムユニットは、ストロボ非発光，小絞り，高速シャッタの日中撮影モード（第１撮影モード）にセットされる。
【０１６２】
図５０に示すように、第１操作部材２５５が上方にスライドされると、これに連動して縦スライド板２５８が一緒に上方に移動する。このときに、縦スライド板２５８の押圧突起がストロボ充電スイッチを押圧するため、ストロボユニットにおいてストロボ充電が開始される。
【０１６３】
第１操作部材２５５を上方にスライドしても、絞り切替板２７１と、ストップレバー２６９と、減光部材２５９ｃとが動くことはない。そのため、レンズ付きフイルムユニットは、ストロボ通常発光，小絞り，高速シャッタの日中シンクロ撮影モード（第２撮影モード）にセットされる。
【０１６４】
図５１に示すように、第２操作部材２５６が右方にスライドされると、横スライド板２５９が一緒に移動する。横スライド板２５９が右方に移動すると、駆動レバー２６７によってストップレバー２６９のカム部２６９ｃが押圧され、ストップレバー２６９が図中反時計方向に回動する。ストップレバー２６９が回動すると、規制アーム２６９ａがシンクロスイッチ２７０の下方から退避して低速シャッタ状態となる。また、回動アーム２６９ｂが被押圧片２７１ｂを押圧して絞り切替板２７１を図中時計方向の大絞り位置に回動させ、大絞り開口２７５を撮影光軸上に配置する。
【０１６５】
また、横スライド板２５９に設けられた減光部材２５９ａがストロボ発光部２６３の前方に挿入され、指標板２６５がファインダ２６４の前方に挿入される。これにより、レンズ付きフイルムユニットは、ストロボ減光，大絞り，低速シャッタの夜間シンクロ撮影モード（第３撮影モード）にセットされる。
【０１６６】
なお、上記各実施形態では、円板形状の指標や三日月形状の指標を用いたが、星の形状や注意を促すマークを用いてもよい。また、指標は、ファインダの前方に限らず、ファインダの対物レンズと接眼レンズとの間や、レンズ付きフイルムユニットの表面上に突出させてもよい。
【０１６７】
また、ファインダの光路内に挿脱される指標を透明なプラスチック等で形成し、第３撮影モードにあることを表す光をファインダ光路内に導いてもよい。更に、減光部材の表面にマークを彫り込んで、指標の代わりにすることもできる。
【０１６８】
【実施例】
以下の表１は、次に記す４種類，８撮影モードのレンズ付きフイルムユニットの絞り値Ｆ，シャッタスピードＳ，フイルム感度ＩＳＯ，ストロボ発光状態，露出値ＥＶを比較したものである。
ＬＦ１：固定絞り及び固定シャッタ型レンズ付きフイルムユニット
ＬＦ２−１：ストロボ連動式絞り切替型レンズ付きフイルムユニットのストロボオフ状態
ＬＦ２−２：ストロボ連動式絞り切替型レンズ付きフイルムユニットのストロボオン状態
ＬＦ３−１：ＡＥ内蔵レンズ付きフイルムユニットの高光量撮影時
ＬＦ３−２：ＡＥ内蔵レンズ付きフイルムユニットの低光量撮影時
ＬＦ４−１：本発明のレンズ付きフイルムユニットの第１撮影モード
ＬＦ４−２：本発明のレンズ付きフイルムユニットの第２撮影モード
ＬＦ４−３：本発明のレンズ付きフイルムユニットの第３撮影モード
【０１６９】
【表１】
0004022431.tif 000002
【０１７０】
表１から分かるように、ＥＶ１０．８のＬＦ１では、周辺光の取り込み量が少ないため、夜間ストロボ撮影時に主要な被写体の背景を撮影することができなかった。また、ＬＦ２では、ストロボオン時（ＬＦ２−２）にＥＶ８．８となるため、主要な被写体の背景も撮影することができる。しかし、日中にストロボ撮影を行うと露光オーバーが発生する。
【０１７１】
ＬＦ３では、主要な被写体の背景を撮影することもでき、露光オーバーが発生することもない。しかし、ＡＥ装置を組み込むことにより、レンズ付きフイルムユニットの価格が高くなってしまう。
【０１７２】
これらＬＦ１〜ＬＦ３に対し、本願発明のＬＦ４では、露光オーバーを発生させることなく日中ストロボ撮影を行うことができる。また、夜間ストロボ撮影は、ＥＶ６．４であるため、従来機種よりも暗い背景を撮影することができる。更に、これらの撮影モードの切り替えを、誤選択の生じにくい手動切替によって行うため、レンズ付きフイルムユニットのコストアップを防ぐことができる。
【０１７３】
【発明の効果】
以上説明したように、本発明によれば、従来よりも暗い背景の撮影を行うことができ、かつ露光オーバーが発生しにくいレンズ付きフイルムユニットをローコストに提供することができる。
【０１７４】
また、撮影モードの選択によって、指標を表示させるようにしたので、撮影モードの判別が容易になる。これにより、撮影モードの誤選択による撮影ミスを少なくすることができる。
【図面の簡単な説明】
【図１】本発明の第１実施形態を用いたレンズ付きフイルムユニットの日中撮影モードの状態を示す外観斜視図である。
【図２】第１実施形態のレンズ付きフイルムユニットの日中シンクロ撮影モードの状態を示す外観斜視図である。
【図３】第１実施形態のレンズ付きフイルムユニットの夜間シンクロ撮影モードの状態を示す外観斜視図である。
【図４】第１実施形態のレンズ付きフイルムユニットの構成を示す分解斜視図である。
【図５】第１実施形態の絞り及びシャッタ速度切替機構の構成を示す分解斜視図である。
【図６】第１実施形態のストッパーレバーの高速シャッタ位置を示す説明図である。
【図７】第１実施形態のストッパーレバーの低速シャッタ位置を示す説明図である。
【図８】第１実施形態の高速シャッタ状態でのシャッタレリーズを示す説明図である。
【図９】第１実施形態の低速シャッタ状態でのシャッタレリーズを示す説明図である。
【図１０】第１実施形態の絞り及びシャッタ速度切替機構の日中撮影モードを示す説明図である。
【図１１】第１実施形態の絞り及びシャッタ速度切替機構の日中シンクロ撮影モードを示す説明図である。
【図１２】第１実施形態の絞り及びシャッタ速度切替機構の夜間シンクロ撮影モードを示す説明図である。
【図１３】第１実施形態の撮影モード切替機構の構成を示す分解斜視図である。
【図１４】第１実施形態の撮影モード切替機構の検査時の操作部材の駆動方法を示す説明図である。
【図１５】第１実施形態の撮影モード切替機構の日中撮影モードを示す説明図である。
【図１６】第１実施形態の撮影モード切替機構の日中シンクロ撮影モードを示す説明図である。
【図１７】第１実施形態の撮影モード切替機構の夜間シンクロ撮影モードを示す説明図である。
【図１８】第１実施形態の日中撮影モードでの減光レバーと表示レバーとの状態を示す説明図である。
【図１９】第１実施形態の日中シンクロ撮影モードでの減光レバーと表示レバーとの状態を示す説明図である。
【図２０】第１実施形態の夜間シンクロ撮影モードでの減光レバーと表示レバーとの状態を示す説明図である。
【図２１】本発明の第２実施形態の操作部材の操作方法を示す説明図である。
【図２２】第２実施形態の撮影モード切替機構の構成を示す分解斜視図である。
【図２３】第２実施形態の撮影モード切替機構の日中撮影モードを示す説明図である。
【図２４】第２実施形態の撮影モード切替機構の日中シンクロ撮影モードを示す説明図である。
【図２５】第２実施形態の撮影モード切替機構の夜間シンクロ撮影モードを示す説明図である。
【図２６】本発明の第３実施形態の操作部材の操作方法を示す説明図である。
【図２７】第３実施形態の撮影モード切替機構の日中撮影モードを示す説明図である。
【図２８】第３実施形態の撮影モード切替機構の日中シンクロ撮影モードを示す説明図である。
【図２９】第３実施形態の撮影モード切替機構の夜間シンクロ撮影モードを示す説明図である。
【図３０】本発明の第４実施形態の操作部材の操作方法を示す説明図である。
【図３１】第４実施形態の撮影モード切替機構の一部の構成を示す分解斜視図である。
【図３２】本発明の第５実施形態の操作部材の操作方法を示す説明図である。
【図３３】本発明の第６実施形態の操作部材の操作方法を示す説明図である。
【図３４】本発明の第７実施形態の操作部材の操作方法を示す説明図である。
【図３５】第７実施形態の撮影モード切替機構の日中撮影モードを示す説明図である。
【図３６】第７実施形態の撮影モード切替機構の日中シンクロ撮影モードを示す説明図である。
【図３７】第７実施形態の撮影モード切替機構の夜間シンクロ撮影モードを示す説明図である。
【図３８】本発明の第８実施形態の操作部材の操作方法を示す説明図である。
【図３９】本発明の第９実施形態の操作部材の操作方法を示す説明図である。
【図４０】本発明の第１０実施形態の操作部材の操作方法を示す説明図である。
【図４１】第１０実施形態の撮影モード切替機構の日中撮影モードを示す説明図である。
【図４２】第１０実施形態の撮影モード切替機構の夜間シンクロ撮影モードを示す説明図である。
【図４３】本発明の第１１実施形態の操作部材の操作方法を示す説明図である。
【図４４】第１１実施形態の撮影モード切替機構の日中撮影モードを示す説明図である。
【図４５】第１１実施形態の撮影モード切替機構の日中シンクロ撮影モードを示す説明図である。
【図４６】第１１実施形態の撮影モード切替機構の夜間シンクロ撮影モードを示す説明図である。
【図４７】本発明の第１２実施形態の操作部材の操作方法を示す説明図である。
【図４８】本発明の第１３実施形態の操作部材の操作方法を示す説明図である。
【図４９】本発明の第１４実施形態の撮影モード切替機構の日中撮影モードを示す説明図である。
【図５０】第１４実施形態の撮影モード切替機構の日中シンクロ撮影モードを示す説明図である。
【図５１】第１４実施形態の撮影モード切替機構の夜間シンクロ撮影モードを示す説明図である。
【符号の説明】
２  レンズ付きフイルムユニット
３  ユニット本体
６  ファインダ
７  ストロボ発光部
８  撮影モード選択部
１５  操作部材
１９  減光部材
２０  指標板
２５  撮影モード切替機構
３０  シンクロスイッチ
３１  金属接片
３８  シャッタ羽根
４９  ストップレバー
６２  大絞り板
６３  絞り切替板
６８  切替リング
７４  切替板
７７  軸受板
７８  スライド板
７９  受け板
８０  減光レバー
８１  表示レバー
【図１】
0004022431.tif 000003
【図２】
0004022431.tif 000004
【図３】
0004022431.tif 000005
【図４】
0004022431.tif 000006
【図５】
0004022431.tif 000007
【図６】
0004022431.tif 000008
【図７】
0004022431.tif 000009
【図８】
0004022431.tif 000010
【図９】
0004022431.tif 000011
【図１０】
0004022431.tif 000012
【図１１】
0004022431.tif 000013
【図１２】
0004022431.tif 000014
【図１３】
0004022431.tif 000015
【図１４】
0004022431.tif 000016
【図１５】
0004022431.tif 000017
【図１６】
0004022431.tif 000018
【図１７】
0004022431.tif 000019
【図１８】
0004022431.tif 000020
【図１９】
0004022431.tif 000021
【図２０】
0004022431.tif 000022
【図２１】
0004022431.tif 000023
【図２２】
0004022431.tif 000024
【図２３】
0004022431.tif 000025
【図２４】
0004022431.tif 000026
【図２５】
0004022431.tif 000027
【図２６】
0004022431.tif 000028
【図２７】
0004022431.tif 000029
【図２８】
0004022431.tif 000030
【図２９】
0004022431.tif 000031
【図３０】
0004022431.tif 000032
【図３１】
0004022431.tif 000033
【図３２】
0004022431.tif 000034
【図３３】
0004022431.tif 000035
【図３４】
0004022431.tif 000036
【図３５】
0004022431.tif 000037
【図３６】
0004022431.tif 000038
【図３７】
0004022431.tif 000039
【図３８】
0004022431.tif 000040
【図３９】
0004022431.tif 000041
【図４０】
0004022431.tif 000042
【図４１】
0004022431.tif 000043
【図４２】
0004022431.tif 000044
【図４３】
0004022431.tif 000045
【図４４】
0004022431.tif 000046
【図４５】
0004022431.tif 000047
【図４６】
0004022431.tif 000048
【図４７】
0004022431.tif 000049
【図４８】
0004022431.tif 000050
【図４９】
0004022431.tif 000051
【図５０】
0004022431.tif 000052
【図５１】
0004022431.tif 000053